(57)【特許請求の範囲】
【請求項１】
ブロック単位に圧縮符号化された圧縮データが記録された記録媒体から、前記ブロック単位とは異なるセクタ単位で読み出される前記圧縮データを記憶する再生メモリと、  前記再生メモリに記憶されている前記圧縮データのうち、所望の圧縮データを前記セクタ単位で記録する記録メモリと、
前記記録メモリに記録する記録対象の圧縮データとして、所望のセクタ以降の圧縮データが指定されると、前記指定されたセクタ以降の圧縮データを先頭のセクタから順に検索して、最初に先頭位置が検索されたブロックの該先頭位置を含むセクタ以降の圧縮データを前記記録メモリに記録する記録部と
を備えることを特徴とする記録再生装置。
【請求項２】
ブロック単位に圧縮符号化された圧縮データが記録された記録媒体から、前記ブロック単位とは異なるセクタ単位で前記圧縮データを読み出し、再生メモリに記憶するステップと、
前記再生メモリに記憶されている前記圧縮データのうち、所望の圧縮データを記録メモリにセクタ単位で記録する際、前記記録メモリに記録する記録対象の圧縮データとして、所望のセクタ以降の圧縮データが指定されると、前記指定されたセクタ以降の圧縮データを先頭のセクタから順に検索して、最初に先頭位置が検索されたブロックの該先頭位置を含むセクタ以降の圧縮データを前記記録メモリにセクタ単位で記録するステップと
を備えることを特徴とする記録方法。
【請求項３】
ブロック単位に圧縮符号化された圧縮データが記録された記録媒体から、前記ブロック単位とは異なるセクタ単位で読み出される前記圧縮データを記憶する再生メモリと、  前記再生メモリに記憶されている前記圧縮データのうち、所望の圧縮データを記録する記録メモリと、
前記記録メモリに記録する記録対象の圧縮データとして、所望のセクタ以降の圧縮データが指定されると、前記指定されたセクタ以降の圧縮データを先頭のセクタから順に検索して、該先頭のセクタの最も近くに先頭位置があるブロック以降の圧縮データを前記記録メモリに記録する記録部と
を備えることを特徴とする記録再生装置。
【請求項４】
前記記録部は、
前記先頭のセクタの最も近くに先頭位置があるブロック以降の圧縮データを前記記録メモリに記録する際には、該ブロックの先頭位置から、該ブロックの先頭位置を含むセクタの最終位置までの圧縮データを記録した後、セクタ単位で順次記録していき、最後のセクタについては記録サイズを調整した上で記録することを特徴とする請求項３記載の記録再生装置。
【請求項５】
ブロック単位に圧縮符号化された圧縮データが記録された記録媒体から、前記ブロック単位とは異なるセクタ単位で前記圧縮データを読み出し、再生メモリに記憶するステップと、
前記再生メモリに記憶されている前記圧縮データのうち、所望の圧縮データを記録メモリに記録する際、前記記録メモリに記録する記録対象の圧縮データとして、所望のセクタ以降の圧縮データが指定されると、前記指定されたセクタ以降の圧縮データを先頭のセクタから順に検索して、該先頭のセクタの最も近くに先頭位置があるブロック以降の圧縮データを前記記録メモリに記録するステップと
を備えることを特徴とする記録方法。
【発明の詳細な説明】
【技術分野】
【０００１】
本発明は、記録再生装置及び記録方法に関する。
【背景技術】
【０００２】
近年、コンパクトディスク（ＣＤ）などの記録媒体にオーディオデータを記録する際には、オーディオデータを圧縮符号化してデータ量を削減した上で、記録媒体に記録することにより、当該記録媒体の記録容量の節約を図っている。
【０００３】
再生時には、記録媒体から読み出された圧縮オーディオデータを再生メモリに一旦記憶した後、再生メモリから圧縮オーディオデータを読み出し、当該読み出された圧縮オーディオデータを伸長復号化することにより、元のオーディオデータを復元し出力する。
【０００４】
かかる装置は、オーディオデータを再生しながら、ユーザから指示が与えられると、再生メモリに記憶されている圧縮オーディオデータの中から一部を切り出し、当該切り出し圧縮オーディオデータを記録メモリにも記録する。
【０００５】
そしてこの装置は、ユーザからの指示に応じて、記録メモリから切り出し圧縮オーディオデータを読み出し、当該切り出し圧縮オーディオデータを伸長復号化して出力する。これにより、ユーザは、オーディオデータの所望の部分を、例えば目覚ましなどのアラームデータとして使用することができる。
【０００６】
ところで、かかる装置は、再生メモリに記憶されている圧縮オーディオデータの中から一部を切り出し、当該切り出し圧縮オーディオデータを記録メモリにコピーして当該記録メモリにも記録する際には、圧縮オーディオデータが記録媒体から読み出される単位であるセクタ単位で記録を行う。
【０００７】
一方、この装置は、記録メモリから切り出し圧縮オーディオデータを読み出し、当該切り出し圧縮オーディオデータを伸長復号化する際には、オーディオデータが圧縮符号化されたときの単位であるブロック単位で伸長復号化を行う。すなわち、この装置は、伸長復号化する際には、少なくとも１ブロック分の圧縮オーディオデータを必要とし、１ブロック分の圧縮オーディオデータが存在しないデータ部分については伸長復号化することができない。
【０００８】
ところで、セクタとブロックのサイズ（データ長）は異なるため、圧縮オーディオデータのうち、隣接するセクタ同士の境界と、隣接するブロック同士の境界とは一致せず、例えばブロックサイズはセクタサイズより大きい。
【０００９】
従って、記録対象の圧縮オーディオデータを構成するセクタを記録メモリに記録しても、例えば、記録対象である先頭のセクタとその前後に隣接するセクタに跨って記録されているブロックについては、当該ブロックの先頭部分のデータが欠けた状態で記録され、この場合、当該ブロックを伸長復号化することはできない。
【００１０】
このように、伸長復号化することができないブロックの一部からなるセクタを記録メモリに記録しても、当該セクタに記録されているブロックを伸長復号化することができず、その分、記録メモリのメモリ容量を無駄に使用することになるという問題があった。
【００１１】
以下、光ディスク装置に関する文献名を記載する。
【特許文献１】特開２００３−３３１５２４号公報
【発明の開示】
【発明が解決しようとする課題】
【００１２】
本発明は、記録メモリのメモリ容量を有効に使用することができる記録再生装置及び記録方法を提供する。
【課題を解決するための手段】
【００１３】
本発明の一態様による記録再生装置は、ブロック単位に圧縮符号化された圧縮データが記録された記録媒体から、前記ブロック単位とは異なるセクタ単位で読み出される前記圧縮データを記憶する再生メモリと、
前記再生メモリに記憶されている前記圧縮データのうち、所望の圧縮データを前記セクタ単位で記録する記録メモリと、
前記再生メモリ又は前記記録メモリから読み出される前記圧縮データを前記ブロック単位で伸長復号化する再生部と、
前記記録メモリに記録する記録対象の圧縮データとして、所望のセクタ以降の圧縮データが指定されると、前記指定されたセクタ以降の圧縮データを先頭のセクタから順に検索して、最初に先頭位置が検索されたブロックの該先頭位置を含むセクタ以降の圧縮データを前記記録メモリに記録する記録部と
を備える。
【００１４】
本発明の一態様による記録方法は、ブロック単位に圧縮符号化された圧縮データが記録された記録媒体から、前記ブロック単位とは異なるセクタ単位で前記圧縮データを読み出し、再生メモリに記憶するステップと、
前記再生メモリに記憶されている前記圧縮データのうち、所望の圧縮データを記録メモリにセクタ単位で記録する際、前記記録メモリに記録する記録対象の圧縮データとして、所望のセクタ以降の圧縮データが指定されると、前記指定されたセクタ以降の圧縮データを先頭のセクタから順に検索して、最初に先頭位置が検索されたブロックの該先頭位置を含むセクタ以降の圧縮データを前記記録メモリにセクタ単位で記録するステップと
を備える。
【００１５】
本発明の一態様による記録再生装置は、ブロック単位に圧縮符号化された圧縮データが記録された記録媒体から、前記ブロック単位とは異なるセクタ単位で読み出される前記圧縮データを記憶する再生メモリと、
前記再生メモリに記憶されている前記圧縮データのうち、所望の圧縮データを記録する記録メモリと、
前記再生メモリ又は前記記録メモリから読み出される前記圧縮データを前記ブロック単位で伸長復号化する再生部と、
前記記録メモリに記録する記録対象の圧縮データとして、所望のセクタ以降の圧縮データが指定されると、前記指定されたセクタ以降の圧縮データを先頭のセクタから順に検索して、該先頭のセクタの最も近くに先頭位置があるブロック以降の圧縮データを前記記録メモリに記録する記録部と
を備える。
【００１６】
本発明の一態様による記録方法は、ブロック単位に圧縮符号化された圧縮データが記録された記録媒体から、前記ブロック単位とは異なるセクタ単位で前記圧縮データを読み出し、再生メモリに記憶するステップと、
前記再生メモリに記憶されている前記圧縮データのうち、所望の圧縮データを記録メモリに記録する際、前記記録メモリに記録する記録対象の圧縮データとして、所望のセクタ以降の圧縮データが指定されると、前記指定されたセクタ以降の圧縮データを先頭のセクタから順に検索して、該先頭のセクタの最も近くに先頭位置があるブロック以降の圧縮データを前記記録メモリに記録するステップと
を備える。
【発明の効果】
【００１７】
本発明の記録再生装置及び記録方法によれば、記録メモリのメモリ容量を有効に使用することができる。
【発明を実施するための最良の形態】
【００１８】
以下、本発明の実施の形態について図面を参照して説明する。
【００１９】
（１）第１の実施の形態
図１に、本発明の第１の実施の形態による記録再生装置１０の構成を示し、図２に、当該記録再生装置１０における記録再生シーケンスを示す。記録媒体３０は、例えばＣＤ、ＤＶＤ、ＨＤなどからなり、記録媒体３０にオーディオデータを記録する際には、オーディオデータを圧縮符号化してデータ量を削減した上で、記録媒体３０に記録することにより、記録媒体３０の記録容量の節約を図っている。
【００２０】
記録再生装置１０の制御部４０は、ユーザがホスト２０に対して再生指示を行うことにより、ホスト２０から再生要求Ｒ１０（図２）が与えられると、再生部５０の動作を制御して再生動作を行わせる。
【００２１】
すなわち、再生部５０は、記録媒体３０から圧縮オーディオデータを読み出し、当該読み出した圧縮オーディオデータを再生メモリ７０に一旦記憶する。その後、再生部５０は、再生メモリ７０から圧縮オーディオデータを読み出し、当該読み出した圧縮オーディオデータを内部のデコーダによって伸長復号化することにより、元のオーディオデータを復元し外部に出力する。
【００２２】
この状態において、制御部４０は、ホスト２０から記録開始要求Ｒ２０（図２）が与えられると、記録部６０の動作を制御して記録動作を行わせる。
【００２３】
すなわち、記録部６０は、記録開始要求Ｒ２０に基づいて、再生メモリ７０に記憶されている圧縮オーディオデータの中から、記録を開始するセクタを決定し、当該決定されたセクタ以降の圧縮オーディオデータをセクタ単位で順次記録メモリ８０にコピーして記録していく。
【００２４】
記録部６０は、記録メモリ６０の全ての領域に圧縮オーディオデータを記録した場合には、制御部４０を介してホスト２０に記録停止要求Ｒ３０を通知する。なお、記録メモリ８０のメモリ容量は小さいため、上述したように記録メモリ８０の全ての領域に圧縮オーディオデータを記録する。
【００２５】
このように記録再生装置１０は、オーディオデータを再生しながら、ユーザから指示が与えられると、再生メモリ７０に記憶されている圧縮オーディオデータの中から一部を切り出し、当該切り出し圧縮オーディオデータを記録メモリ８０にコピーして記録する。
【００２６】
その後、再生部５０は、所望のタイミングで、制御部４０を介してホスト２０に再生停止要求Ｒ４０を通知し、再生動作を停止する。
【００２７】
そして、記録再生装置１０の制御部４０は、ユーザがホスト２０に対して切り出し圧縮オーディオデータの再生指示を行うことにより、ホスト２０から切り出し圧縮オーディオデータの再生要求が与えられると、再生部５０の動作を制御して切り出し圧縮オーディオデータの再生動作を行わせる。
【００２８】
すなわち、再生部５０は、記録メモリ８０から切り出し圧縮オーディオデータを読み出し、当該読み出した切り出し圧縮オーディオデータを伸長復号化して外部に出力する。これにより、ユーザは、オーディオデータの所望の部分を、例えば目覚ましなどのアラームデータとして使用することができる。
【００２９】
ここで図３に、記録開始要求Ｒ２０に基づいて、再生メモリ７０に記憶されている圧縮オーディオデータの中から一部を切り出し、当該切り出し圧縮オーディオデータをセクタ単位で記録メモリ８０にコピーして記録する様子を示し、図４に、再生メモリ７０に記憶されている圧縮オーディオデータの中から一部を切り出す場合における、セクタとブロックの関係を示す。
【００３０】
この図４は、再生メモリ７０に記憶されている圧縮オーディオデータのうち、セクタ０５以降の圧縮オーディオデータを記録メモリ８０に記録する記録開始要求Ｒ２０が与えられた場合であって、かつ、セクタ０５に記録されているブロックＢ１が、セクタ０４〜０６に跨って記録されている場合を示す。
【００３１】
この場合、セクタ０５以降の圧縮オーディオデータを記録メモリ８０に記録しても、ブロックＢ１は、その先頭部分のデータが欠けた状態で記録され、この場合、ブロックＢ１を伸長復号化することはできない。
【００３２】
そこで、本実施の形態の場合、セクタ０５を記録メモリ８０に記録することなく、セクタ０６以降の圧縮オーディオデータを記録メモリ８０に記録する。このように、伸長復号化することができないブロックＢ１の一部のみからなるセクタ０５を記録メモリ８０に記録しないことにより、記録メモリ８０のメモリ容量を有効に使用することができる。
【００３３】
ところで、本実施の形態の場合、図３に示すように、記録メモリ８０は、４セクタ分の圧縮オーディオデータを記録することができる程度のメモリ容量を有する。従って、セクタ０５以降の圧縮オーディオデータを記録メモリ８０に記録する場合には、セクタ０５〜０８の圧縮オーディオデータを記録メモリ８０に記録することになる。
【００３４】
この場合、ブロックＢ１及びＢ４は、いずれもその一部のデータが欠けた状態で記録され、その結果、ブロックＢ２及びＢ３を伸長復号化することができるにすぎない。
【００３５】
これに対して、本実施の形態の場合、セクタ０６以降の圧縮オーディオデータを記録メモリ８０に記録するため、セクタ０６〜０９の圧縮オーディオデータを記録メモリ８０に記録することができる。
【００３６】
この場合、ブロックＢ２〜Ｂ４を伸長復号化することができることになり、これにより伸長復号化することが可能なブロック数を増加させ、記録メモリ８０のメモリ容量を有効に使用することができる。
【００３７】
因みに、図５に、比較例として、セクタ０５〜０８の圧縮オーディオデータを記録メモリ８０にコピーして記録する様子を示し、図６に、当該比較例の場合におけるセクタとブロックの関係を示す。
【００３８】
この比較例の場合、４セクタ分のセクタ０５〜０８の圧縮オーディオデータを記録メモリ８０に記録しても、ブロックＢ２及びＢ３の圧縮オーディオデータを伸長復号化することができるにすぎず、その分、ブロックＢ２〜Ｂ４を伸長復号化することができる本実施の形態と比較して、記録メモリ８０のメモリ容量を無駄に使用している。
【００３９】
ここで図７に、本実施の形態による再生処理手順ＲＴ１０を示す。この図７において、制御部４０は、再生処理手順ＲＴ１０に入ると、ステップＳＰ１０において、記録媒体３０から圧縮オーディオデータをセクタ単位で順次読み出し、再生メモリ７０に圧縮オーディオデータが蓄積されるまで待機する。
【００４０】
制御部４０は、再生メモリ７０に圧縮オーディオデータが蓄積されると、ステップＳＰ２０２に移って、ホスト２０から与えられたコマンドをチェックする。制御部４０は、再生要求Ｒ１０が与えられた場合には、記録再生装置１０の再生状態を実行に更新し、記録開始要求Ｒ２０が与えられた場合には、記録再生装置１０の記録状態を実行に更新する。
【００４１】
ステップＳＰ３０において、制御部４０は、再生状態が実行であるか否かを判定する。ステップＳＰ３０において肯定結果が得られると、制御部４０は、ステップＳＰ４０に移って、記録状態が実行であるか否かを判定する。
【００４２】
ステップＳＰ４０において肯定結果が得られると、制御部４０は、ステップＳＰ５０に移って、記録部６０の動作を制御することにより、再生メモリ７０に記憶されている圧縮オーディオデータの中から、処理対象のセクタを切り出し、当該切り出されたセクタを記録メモリ８０にコピーして記録する。
【００４３】
ステップＳＰ６０において、制御部４０は、再生部５０の動作を制御することにより、再生メモリ７０に記憶されている圧縮オーディオデータの中から、上述の処理対象のセクタを読み出して順次伸長復号化することにより、元のオーディオデータを復元し外部に出力する。なお、伸長復号化は、１ブロック分の圧縮オーディオデータを得ることにより行われる。
【００４４】
そして制御部４０は、ステップＳＰ１０に戻って、記録媒体３０から１セクタ分の圧縮オーディオデータを読み出して再生メモリ７０記憶させるまで待機する待機状態に遷移し、記録媒体３０から１セクタ分の圧縮オーディオデータを読み出して再生メモリ７０に記憶した時点で、ステップＳＰ２０に移って上述の動作を繰り返す。
【００４５】
ところで、ステップＳＰ４０において否定結果が得られた場合には、制御部４０は、記録動作を実行させることなく、ステップＳＰ６０に移って、再生動作を実行させる。また、ステップＳＰ３０において否定結果が得られた場合には、記録及び再生動作を実行させることなく、ステップＳＰ１０に戻って、待機状態を維持する。
【００４６】
ここで、図８に、再生処理手順ＲＴ１０（図７）のステップＳＰ５０において実行される、第１の実施の形態による記録処理手順ＲＴ２０を示す。この図８において、記録部６０は、記録処理手順ＲＴ２０に入ると、ステップＳＰ１００に移って、記録状態が停止中であるか否かを判定する。
【００４７】
このステップＳＰ１００において肯定結果が得られると、このことは記録部６０がまだ記録を開始していない状態にあることを表しており、このとき記録部６０は、ステップＳＰ１１０に移って、記録対象のセクタ（以下、これをカレントセクタと呼ぶ）内に、ブロックの先頭部分が含まれているか否かを判定する。
【００４８】
このステップＳＰ１１０において否定結果が得られると、このことはブロックの先頭位置が、カレントセクタの先頭位置から最終位置の範囲内に存在しないことを表しており、このとき記録部６０は、カレントセクタを記録メモリ８０に記録することなく、ステップＳＰ１７０に移って当該処理手順ＲＴ２０を終了する。
【００４９】
これに対して、ステップＳＰ１１０において肯定結果が得られると、このことはブロックの先頭位置が、カレントセクタの先頭位置から最終位置の範囲内に存在することを表しており、このとき記録部６０は、ステップＳＰ１２０に移って、記録先アドレスを記録メモリ８０の先頭に初期化する。
【００５０】
ステップＳＰ１３０において、記録部６０は、記録状態を記録中に更新した後、続くステップＳＰ１４０に移って、カレントセクタを記録メモリ８０にコピーして記録する。
【００５１】
ところで、ステップＳＰ１００において否定結果が得られると、このことはすでにブロックの先頭部分を含むセクタを検出した後であって、記録を実行している状態であることを表しており、このとき記録部６０は、ステップＳＰ１４０に移って、カレントセクタを記録メモリ８０にコピーして記録する。
【００５２】
ステップＳＰ１５０において、記録部６０は、当該カレントセクタが記録された記録先アドレスが、記録メモリ８０の最終セクタであるか否かを判定する。このステップＳＰ１５０において否定結果が得られると、記録部６０は、ステップＳＰ１６０に移って、記録メモリ８０の記録先アドレスを次のセクタにして更新した後、ステップＳＰ１７０に移って当該処理手順ＲＴ２０を終了する。
【００５３】
これに対してステップＳＰ１５０において肯定結果が得られると、記録部６０は、ステップＳＰ１８０に移って、記録状態を停止中に更新し、ステップＳＰ１９０において、ホスト２０に記録停止要求Ｒ４０を通知した後、ステップＳＰ１７０に移って当該処理手順ＲＴ２０を終了する。
【００５４】
このように、記録対象のセクタ以降の圧縮オーディオデータの中から、最初にブロックの先頭位置を含むセクタを検出し、当該検出されたセクタ以降の圧縮オーディオデータを記録メモリ８０に記録することにより、記録メモリ８０のメモリ容量を有効に使用することができる。
【００５５】
（２）第２の実施の形態
図９に、本発明の第２の実施の形態によって、圧縮オーディオデータの切り出し及び記録を行う場合における、セクタとブロックの関係を示す。この図９は、再生メモリ７０に記憶されている圧縮オーディオデータのうち、セクタ０５以降の圧縮オーディオデータを記録メモリ８０に記録する記録開始要求Ｒ２０が与えられた場合であって、かつ、セクタ０５に記録されているブロックＢ１０が、セクタ０４〜０６に跨って記録されている場合を示す。
【００５６】
この場合、第１の実施の形態と同様に、セクタ０５以降の圧縮オーディオデータを記録メモリ８０に記録しても、ブロックＢ１０は、その先頭部分のデータが欠けた状態で記録され、この場合、ブロックＢ１０を伸長復号化することはできない。
【００５７】
そこで、本実施の形態の場合、セクタ０５を記録メモリ８０に記録しないことに加えて、セクタ０６については、伸長復号化することができるブロックＢ２０の先頭位置以降のデータを記録メモリ８０に記録した後、セクタ０７以降の圧縮オーディオデータを記録メモリ８０に順次記録することにより、伸長復号化することができないブロックＢ１０を記録メモリ８０に記録することなく、ブロックＢ２０以降の圧縮オーディオデータを記録メモリ８０に記録する。
【００５８】
このように、本実施の形態によれば、伸長復号化することができないブロックＢ１０を全て記録メモリ８０に記録しないことにより、伸長復号化することができないブロックＢ１（図４）の一部を記録する第１の実施の形態と比較して、さらに記録メモリ８０のメモリ容量を有効に使用することができる。
【００５９】
ところで、本実施の形態の場合では、セクタ０６の一部を記録メモリ８０に記録した分、最後のセクタ１０の全てを記録メモリ８０に記録することはできない。従って、セクタ１０を記録メモリ８０に記録する際には、セクタ１０のうちブロックＢ３０のデータ部分が記録されるように、記録サイズの調整を行った上で、記録メモリ８０に記録する。
【００６０】
このように本実施の形態によれば、伸長復号化することができるブロックＢ２０及びＢ３０のみを記録メモリ８０に記録することができ、これにより第１の実施の形態と比較して、さらに記録メモリ８０のメモリ容量を有効に使用することができる。
【００６１】
なお、図１０に、記録メモリ８０に圧縮オーディオデータの一部が記録された場合におけるセクタの配置を示す。このうち図１０（ａ）は、比較例（図５及び図６）によるセクタの配置を示し、図１０（ｂ）は、第１の実施の形態（図３及び図４）によるセクタの配置を示し、図１０（ｃ）は、第２の実施の形態（図９）によるセクタの配置を示す。
【００６２】
ここで、図１１に、再生処理手順ＲＴ１０（図７）のステップＳＰ５０において実行される、第２の実施の形態による記録処理手順ＲＴ３０を示す。この図１１において、記録部６０は、記録処理手順ＲＴ３０に入ると、ステップＳＰ２００に移って、記録状態が停止中であるか否かを判定する。
【００６３】
このステップＳＰ２００において肯定結果が得られると、このことは記録部６０がまだ記録を開始していない状態にあることを表しており、このとき記録部６０は、ステップＳＰ２１０に移って、記録対象のセクタ（以下、これをカレントセクタと呼ぶ）内に、ブロックの先頭部分が含まれているか否かを判定する。
【００６４】
このステップＳＰ２１０において否定結果が得られると、このことはブロックの先頭位置が、カレントセクタの先頭位置から最終位置の範囲内に存在しないことを表しており、このとき記録部６０は、カレントセクタを記録メモリ８０に記録することなく、ステップＳＰ３１０に移って当該処理手順ＲＴ３０を終了する。
【００６５】
これに対して、ステップＳＰ２１０において肯定結果が得られると、このことはブロックの先頭位置が、カレントセクタの先頭位置から最終位置の範囲内に存在することを表しており、このとき記録部６０は、ステップＳＰ２２０に移って、記録先アドレスを記録メモリ８０の先頭に初期化する。
【００６６】
ステップＳＰ２３０において、記録部６０は、記録元データの先頭位置をブロックの先頭位置とし、続くステップＳＰ２４０において、セクタサイズと、カレントセクタの先頭位置からブロックの先頭位置までのオフセットとの差分を、記録サイズとする。ステップＳＰ２５０において、記録部６０は、記録状態を記録中に更新した後、続くステップＳＰ２６０に移る。
【００６７】
ところで、ステップＳＰ２００において否定結果が得られると、このことはすでにブロックの先頭部分を含むセクタを検出した後であって、記録を実行している状態であることを表しており、このとき記録部６０は、ステップＳＰ２７０に移って、記録元データの先頭位置をカレントセクタの先頭位置とし、続くステップＳＰ２８０において、セクタサイズを記録サイズとした後、ステップＳＰ２６０に移る。
【００６８】
ステップＳＰ２６０において、記録部６０は、当該カレントセクタを記録メモリ８０に記録した場合における記録先の最終位置が、記録メモリ８０の最終位置より大きくなるか否かを判定する。
【００６９】
このステップＳＰ２６０において否定結果が得られると、記録部６０は、ステップＳＰ２９０に移って、カレントセクタを記録メモリ８０にコピーして記録し、続くステップＳＰ３００において、記録メモリ８０の記録先アドレスを次のセクタにして更新した後、ステップＳＰ３１０に移って当該処理手順ＲＴ２０を終了する。
【００７０】
これに対してステップＳＰ２６０において肯定結果が得られると、記録部６０は、ステップＳＰ３２０に移って、カレントセクタの記録サイズの調整を行った上で、続くステップＳＰ３３０において、当該記録サイズが調整されたカレントセクタを記録メモリ８０にコピーして記録する。
【００７１】
ステップＳＰ３４０において、記録部６０は、記録状態を停止中に更新し、ステップＳＰ３５０において、ホスト２０に記録停止要求Ｒ４０を通知した後、ステップＳＰ３１０に移って当該処理手順ＲＴ３０を終了する。
【００７２】
このように、記録対象のセクタ以降の圧縮オーディオデータの中から、ブロックの先頭位置を検出し、当該検出されたブロック以降の圧縮オーディオデータを記録メモリ８０に記録することにより、記録メモリ８０のメモリ容量を有効に使用することができる。
【００７３】
なお、上述の実施の形態は一例であって、本発明を限定するものではない。例えば圧縮オーディオデータではなく、圧縮符号化された画像データの一部を切り出して記録メモリ８０に記録するようにしても良い。
【図面の簡単な説明】
【００７４】
【図１】本発明の第１の実施の形態による記録再生装置の構成を示すブロック図である。
【図２】同記録再生装置における記録再生シーケンスを示す説明図である。
【図３】第１の実施の形態による圧縮オーディオデータのコピーの様子を示す説明図である。
【図４】第１の実施の形態の場合におけるセクタとブロックの関係を示す説明図である。
【図５】比較例による圧縮オーディオデータのコピーの様子を示す説明図である。
【図６】比較例の場合におけるセクタとブロックの関係を示す説明図である。
【図７】第１の実施の形態による再生処理手順を示すフローチャートである。
【図８】第１の実施の形態による記録処理手順を示すフローチャートである。
【図９】第２の実施の形態の場合におけるセクタとブロックの関係を示す説明図である。
【図１０】記録メモリに圧縮オーディオデータの一部が記録された場合におけるセクタの配置を示す説明図である。
【図１１】第２の実施の形態による記録処理手順を示すフローチャートである。
【符号の説明】
【００７５】
１０  記録再生装置
３０  記録媒体
５０  再生部
６０  記録部
７０  再生メモリ
８０  記録メモリ
【図１】
0004845482.tif 000002
【図２】
0004845482.tif 000003
【図３】
0004845482.tif 000004
【図４】
0004845482.tif 000005
【図５】
0004845482.tif 000006
【図６】
0004845482.tif 000007
【図７】
0004845482.tif 000008
【図８】
0004845482.tif 000009
【図９】
0004845482.tif 000010
【図１０】
0004845482.tif 000011
【図１１】
0004845482.tif 000012